(57)【要約】【課題】標本を載置するホルダに貼り付けられた非接触記憶媒体に対して情報を読み書きすることが可能な顕微鏡システム。【解決手段】顕微鏡本体２１と、前記顕微鏡本体に設けられ、ステージ２５に載置される標本ホルダ５０に設置された非接触記憶媒体５３へ情報の入出力を非接触で行う入出力手段６０と、前記情報を表示する表示手段３１、４１とを具備する顕微鏡システム１０。【選択図】図１
2009063753.tif 000002
【特許請求の範囲】
【請求項１】
顕微鏡本体と、
前記顕微鏡本体側に設けられ、ステージに載置される標本ホルダに設置された非接触記憶媒体へ情報の入出力を非接触で行う入出力手段と、
前記情報を表示する表示手段と、
を具備することを特徴とする顕微鏡システム。
【請求項２】
前記非接触記憶媒体へ新たな情報を記録する制御手段をさらに有することを特徴とする請求項１に記載の顕微鏡システム。
【請求項３】
前記ステージは、当該ステージのＺ方向の位置を検出する位置検出手段をさらに具備することを特徴とする請求項１または２に記載の顕微鏡システム。
【請求項４】
前記非接触記憶媒体は、ＩＣタグを含むことを特徴とする請求項１から３のいずれか１項に記載の顕微鏡システム。
【請求項５】
前記標本ホルダは、スライドガラスまたはシャーレまたはウェルプレートを含むことを特徴とする請求項１から４のいずれか１項に記載の顕微鏡システム。
【請求項６】
前記顕微鏡システムは、顕微鏡本体を有し、
前記入出力手段は、前記顕微鏡本体部分に配置されていることを特徴とする請求項１から５のいずれか１項に記載の顕微鏡システム。
【請求項７】
前記入出力手段は、前記標本ステージに配置されていることを特徴とする請求項１から５のいずれか１項に記載の顕微鏡システム。
【請求項８】
前記入出力手段は、前記標本ステージ上の標本ホルダ保持部材に配置されていることを特徴とする請求項１から５のいずれか１項に記載の顕微鏡システム。
【請求項９】
前記入出力手段は、対物レンズレボルバの回転軸近傍に配置されていることを特徴とする請求項１から５のいずれか１項に記載の顕微鏡システム。
【請求項１０】
前記入出力手段は、対物レンズレボルバの回転皿外周部に配置されていることを特徴とする請求項１から５のいずれか１項に記載の顕微鏡システム。
【請求項１１】
前記入出力手段は、顕微鏡本体の前記ステージの近傍に配置されていることを特徴とする請求項１から５のいずれか１項に記載の顕微鏡システム。
【発明の詳細な説明】
【技術分野】
【０００１】
本発明は、標本からの情報を検出して観察者が確認可能な顕微鏡システムに関する。
【背景技術】
【０００２】
従来、非接触記憶媒体である無線タグ（以後、ＩＣタグと記す）を顕微鏡の標本を載置するスライドガラスに貼り付けたものが提案され（例えば、特許文献１参照）、このＩＣタグに標本の各種情報を記憶して情報管理することが可能になっている。
【特許文献１】特開２００４−１２５７８８号公報
【発明の開示】
【発明が解決しようとする課題】
【０００３】
従来のＩＣタグを有するスライドガラスに標本を載置して、標本の各種情報を管理することが可能になり、ＩＣタグに記憶されている各種情報を標本を読み取り表示する表示装置を有する、また観察情報等を新たに書き込める、顕微鏡システムが望まれている。
【課題を解決するための手段】
【０００４】
上記課題を解決するため、本発明は、顕微鏡本体と、前記顕微鏡本体側に設けられ、標本ステージに載置される標本ホルダに設置された非接触記憶媒体へ情報の入出力を非接触で行う入出力手段と、前記情報を表示する表示手段と、を具備することを特徴とする顕微鏡システムを提供する。
【発明の効果】
【０００５】
本発明によれば、標本を載置するホルダに貼り付けられた非接触記憶媒体に対して情報を読み書きすることが可能な顕微鏡システムを提供することができる。
【発明を実施するための最良の形態】
【０００６】
本発明の実施の形態にかかる顕微鏡システムについて図面を参照しつつ説明する。
【０００７】
（第１実施の形態）
図１は、第１実施の形態にかかる顕微鏡システムの概略構成図である。図２は、本顕微鏡システムで使用されるスライドガラスに標本を載置した例である。
【０００８】
図１において、顕微鏡システム１０は、顕微鏡２０と、顕微鏡専用コントローラ（以後、コントローラと記す）３０と、顕微鏡制御装置４０とから構成されている。
【０００９】
顕微鏡２０は、顕微鏡本体２１と、顕微鏡本体２１に配置された接眼鏡筒２２と、複数の対物レンズ２３を観察位置に配置するレボルバ２４と、標本５１を載置したスライドガラス５０を載置するステージ２５と、透過照明装置２６とから構成されている。
【００１０】
また、顕微鏡本体２１には、後述する、例えば公知のＩＣタグのような非接触記憶媒体（以後、ＩＣタグと記す）との情報の読み書きをするアンテナ６０が配設されている。
【００１１】
透過照明装置２６からの照明光をスライドガラス５０に載置した標本に照射し、フォーカスノブ２７を回転させることでステージ２５を上下動し、標本５１にフォーカシングし、対物レンズ２３で透過光を集光して、接眼鏡筒２２を介して接眼レンズ２８で観察する。
【００１２】
コントローラ３０は、表示部３１を有し、顕微鏡本体２１のアンテナ６０と、ステージ２５の位置検出装置２５ａに接続されている。また、ステージ２５の操作をする操作つまみ３２を有している。
【００１３】
顕微鏡制御装置４０は、ＰＣ本体４１と制御部４２を有し、制御部４２はアンテナ６０とステージ２５の位置検出装置２５ａに接続されている。
【００１４】
このようにして、第１実施の形態にかかる顕微鏡システム１０が構成されている。
【００１５】
図２は、図１の顕微鏡システム１０で使用されるスライドガラス５０の一例を示す。スライドガラス５０には、標本５１が配置されカバーガラス５２で覆われ固定されている。また、スライドガラス５０には、ＩＣタグ５３が貼り付けられ、標本５１の各種情報がＩＣタグ５３に記憶されている。また、本実施の形態のように文字ラベル５４もＩＣタグ５３の近傍に貼り付けられ標本５１の属性を目視で判別できる構成であってもよい。なお、ステージ２５は金属で構成されており、アンテナ６０からＩＣタグ５３に照射される電波の反射を制御するため、電波吸収シートを台紙５５としてＩＣタグ５３の下に貼り付けた構成にしてもよい。
【００１６】
第１実施の形態にかかる顕微鏡システム１０では、ステージ２５に載置されたスライドガラス５０の標本５１の各種情報をＩＣタグ５３からアンテナ６０を介してコントローラ３０または顕微鏡制御装置４０が読み取ることが可能になる。これにより、読み取った標本５１の情報は、表示部３１やＰＣ４１のモニタ上に表示して確認することができる。
【００１７】
また、ＰＣ４１の入力装置４３やコントローラ３０の操作つまみ３２を用いて、ステージ２５の位置検出装置２５ａの情報をアンテナ６０を介してＩＣタグ５３に書き込むことができる。これにより、ほかの場所の同様の顕微鏡システム１０において、ＩＣタグ５３に記憶されている位置情報に基づき、同じ位置を別の観察者が容易に検索し観察することが可能になる。なお、ステージ２５の位置検出装置２５ａがＺ軸方向の位置検出を行える場合には、標本５１の厚さ方向の情報をＩＣタグ５３に書き込むことも可能である。
【００１８】
（第１実施の形態の変形例）
図３は、第１実施の形態の変形例にかかる顕微鏡システムの概略構成を示す。第１実施の形態と同様の構成には同じ符号を付し説明を省略する。
【００１９】
本変形例では、顕微鏡システム１２は、アンテナ６０を介してスライドガラス５０のＩＣタグ５３に読み書きする情報を制御する制御部４５が顕微鏡本体２１に内蔵され、ＩＣタグ５３の情報を表示する表示部３５が、顕微鏡本体２１の前面に配設されている。
【００２０】
このように本変形例によれば、ＩＣタグ５３の情報を読み書きでき、簡便な構成、かつコンパクトな顕微鏡システム１２を構築することができる。
【００２１】
次に、実施の形態にかかる顕微鏡システムにおけるアンテナ配置の各実施例について図面を参照しつつ説明する。各実施例は、いずれも前記アンテナ６０に代えて使用することができるものである。なお、以降の各実施例において、上記実施の形態と同様の構成には同じ符号を付し説明を省略する。
【００２２】
（第１実施例）
図４は、第１実施例にかかるアンテナ６０の配置例を示す図であり、ステージの上面から見た図である。
【００２３】
図４において、ステージ２５には、スライドガラス５０を標本押え爪２５ｂで挟みＸ軸方向に移動する標本ホルダ２５ｃが配設されている。また、ステージベース板２５ｆに対してＹ軸方向に移動するステージ板２５ｄには、透過照明光を標本５７に照射するための開口部２５ｅが設けられている。開口部２５ｅの周辺部にループ状のアンテナ６０が配置されている。また、アンテナ６０からの電線は、ステージ２５の端面に設けられた不図示のコネクタを介して顕微鏡本体２１の制御部４５或いはコントローラ３０や顕微鏡制御部４０の制御部４２に接続されている。なお、アンテナ６０は、ループ状に電線を巻いたもののみならず、電子回路用のプリント基板にループ状のパターンを形成したものでもよい。
【００２４】
本実施例のような位置にアンテナ６０を配置すれば、アンテナ６０が邪魔とならずに設けられる。
【００２５】
（第２実施例）
図５は、第２実施例にかかるアンテナ６０の配置例を示す図であり、ステージの上面から見た図である。第２実施例では、アンテナ６０は、標本ホルダ２５ｃのスライドガラス５０の長辺が接する部分に形成されている。その他の構成は、第１実施例と同様であり説明を省略する。なお、アンテナ６０は、ループ状に電線を巻いたもののみならず、電子回路用のプリント基板にループ状のパターンを形成したものでもよい。本実施例のような位置へのアンテナ６０の配置は、第２実施例よりも容易に行うことができる。
【００２６】
（第３実施例）
図６は、第３実施例にかかるアンテナ６０の配置例を示す標本ホルダ２５ｃの図であり、ステージの上面から見た図である。第３実施例では、アンテナ６０は、標本ホルダ２５ｃのスライドガラス５０の長辺および短辺が接する部分に形成されている。その他の構成は、第１実施例と同様であり説明を省略する。なお、アンテナ６０は、ループ状に電線を巻いたもののみならず、電子回路用のプリント基板にループ状のパターンを形成したものでもよい。本実施例のような位置にアンテナ６０を配置すれば、より確実な情報のやり取りが可能となる。
【００２７】
（第４実施例）
図７は、第４実施例にかかるアンテナ６０をレボルバ２４に配置した例を示す図であり、（ａ）は側面から、（ｂ）は対物レンズ２３側から見た図である。
【００２８】
図７において、第４実施例では、アンテナ６０は、レボルバ２４の回転皿２４ａの回転軸２４ｂの先端部分に配置されている。回転皿２４ａは回転軸２４ｂに回動可能に支持されて３６０度回転する。この位置は、スライドガラス５０の真上になるため、良好な送受信条件を確保できる。アンテナ６０からの電線は、固定の回転軸２４ｂおよび顕微鏡取り付け部２４ｃの内部を通すことができるので、レボルバ２４の回転によってねじれることがない。また、アンテナ６０からの電線は、顕微鏡本体２１の制御部４５或いはコントローラ３０や顕微鏡制御部４０の制御部４２に接続されている。なお、アンテナ６０は、ループ状に電線を巻いたもののみならず、電子回路用のプリント基板にループ状のパターンを形成したものでもよい。
【００２９】
（第５実施例）
図８は、第５実施例にかかるアンテナ６０をレボルバ２４に配置した例を示す図であり、（ａ）は側面から、（ｂ）はレボルバ２４の取り付け側２４ｃから見た図である。
【００３０】
図８において、第５実施例では、アンテナ６０は、レボルバ２４の回転軸２４ｂと一体に形成されている上板２４ｄの内周に装着されている。回転皿２４ａは３６０度回転し、上板２４ｄは固定されている。本実施例でのアンテナ６０の位置は、スライドガラス５０の上方の広い範囲をカバーしているので、スライドガラス５０を広い範囲にＸＹ移動しても良好な送受信条件を確保できる。アンテナ６０からの電線は、固定の回転軸２４ｂおよび顕微鏡取り付け部２４ｃの内部を通すことができるので、レボルバ２４の回転によってねじれることがない。また、アンテナ６０からの電線は、顕微鏡本体２１の制御部４５或いはコントローラ３０や顕微鏡制御部４０の制御部４２に接続されている。なお、アンテナ６０は、ループ状に電線を巻いたもののみならず、電子回路用のプリント基板にループ状のパターンを形成したものでもよい。
【００３１】
以上述べたように、実施の形態にかかる顕微鏡システムによれば、スライドガラスに設けられたＩＣタグに記憶された各種情報を読み出して顕微鏡観察者に提示することができると共に、観察時に得られた新たな情報やその時の観察者の所見などをＩＣタグに書き込むことができる。この結果、スライドガラスのＩＣタグに標本の情報を一元化して管理することが可能になると共に、スライドガラスの可搬性を高めることができる。
【００３２】
なお、上記説明では、スライドガラスに貼り付けたＩＣタグを代表として説明したが、その他の非接触記憶媒体でも同様の効果を奏することができる。また、スライドガラス以外のシャーレ或いはウェルプレートなどの標本を載置する標本ホルダにＩＣタグを貼り付けて使用することも可能である。また、アンテナを配置する場所は、顕微鏡の上記以外の場所、或いは顕微鏡の近傍でも同様の効果を奏することができる。また、ＩＣタグに用いる電波の到達距離が長ければ、顕微鏡から離れた場所にアンテナを設置し同様の効果を奏することができる。また、顕微鏡以外で標本を扱う装置、例えば、培養装置、標本保管装置、或いは染色装置など標本を取り扱う装置、にアンテナを配置して標本の情報を読み書きするようにすることで、標本の処理、管理を容易にすることができる。
【００３３】
なお、上述の実施の形態は例に過ぎず、上述の構成や形状に限定されるものではなく、本発明の範囲内において適宜修正、変更が可能である。
【図面の簡単な説明】
【００３４】
【図１】第１実施の形態にかかる顕微鏡システムの概略構成図である。
【図２】本顕微鏡システムで使用されるスライドガラスに標本を載置した例である。
【図３】第１実施の形態の変形例にかかる顕微鏡システムの概略構成を示す。
【図４】第１実施例にかかるアンテナの配置例を示す図であり、ステージの上面から見た図である。
【図５】第２実施例にかかるアンテナの配置例を示す図であり、ステージの上面から見た図である。
【図６】第３実施例にかかるアンテナの配置例を示す標本ホルダの図であり、ステージの上面から見た図である。
【図７】第４実施例にかかるアンテナをレボルバに配置した例を示す図であり、（ａ）は側面から、（ｂ）は対物レンズ側から見た図である。
【図８】第５実施例にかかるアンテナをレボルバに配置した例を示す図であり、（ａ）は側面から、（ｂ）はレボルバの取り付け側から見た図である。
【符号の説明】
【００３５】
１０、１２    顕微鏡システム
２０    顕微鏡
２１    顕微鏡本体
２２    接眼鏡筒
２３    対物レンズ
２４    レボルバ
２５    ステージ
２６    透過照明装置
２７    フォーカスノブ
２８    接眼レンズ
３０    顕微鏡専用コントローラ
３１、３５    表示部
３２    操作つまみ
４０    顕微鏡制御装置
４１    ＰＣ本体
４２、４５    制御部
５０    スライドガラス
５１    標本
５２    カバーガラス
５３    ＩＣタグ
５４    文字ラベル
５５    台紙
６０    アンテナ
【図１】
2009063753.tif 000003
【図２】
2009063753.tif 000004
【図３】
2009063753.tif 000005
【図４】
2009063753.tif 000006
【図５】
2009063753.tif 000007
【図６】
2009063753.tif 000008
【図７】
2009063753.tif 000009
【図８】
2009063753.tif 000010